(57)【要約】【課題】弱い力でも容器の口部に打栓でき、開封あるいは廃棄時に、容器の口部から容易に取り外すことが出来る易開封型打栓式キャップおよびその打栓方法を提供する。【解決手段】天面２及びその周縁から垂下するスカート壁３からなり、スカート壁３の内周面に容器係合用突起４を設け、容器口部６にスカート壁３および天面２の一部を密着させてなるキャップ本体７と、スカート壁３の外側にある薄肉筒８と、この薄肉筒８の外側にある外筒９と、この外筒９の外周面に繋がる開封用リング１０と、が一体成形されていて、薄肉筒８は、外筒９の下端部９ａとスカート壁３の外周面３ａとの間に接続されると共に、外筒９の内周面９ｂとスカート壁３の外周面３ａとの間に介在して、外筒９と相俟ってスカート壁３の外周面３ａを外側から押圧し、キャップ本体７を外側からカシメ状態にして容器口部６とキャップ本体７とを液密に保持することで、上記の課題を達成する。【選択図】 図２
2015127231.tif 000002
【特許請求の範囲】
【請求項１】
天面および該天面の周縁から垂下するスカート壁からなり、該スカート壁の内周面に容器係合用突起を設けて、容器口部に前記スカート壁および前記天面の一部を前記容器口部に密着させてなるキャップ本体と、前記スカート壁の外側に位置する薄肉筒と、前記薄肉筒の外側に位置する外筒と、前記外筒の外周面に繋がっている開封用リングと、が一体成形される易開封型打栓式キャップにおいて、
前記薄肉筒は、前記外筒の下端部と前記スカート壁の外周面との間に接続されると共に、前記外筒の内周面と前記スカート壁の外周面との間に介在して、前記外筒と相俟って前記スカート壁の外周面を外側から押圧し、前記キャップ本体を外側からカシメ状態にして前記容器口部と前記キャップ本体とを液密に保持する、
ことを特徴とする易開封型打栓式キャップ。
【請求項２】
前記薄肉筒にスリットを設けた請求項１記載の易開封型打栓式キャップ。
【請求項３】
前記キャップ本体のスカート壁の下端部が軸方向スリットにより複数に分割される易導入壁に形成されてなる請求項１または２記載の易開封型打栓式キャップ。
【請求項４】
前記易導入壁が外方に末広がりで形成されてなる請求項３記載の易開封型打栓式キャップ。
【請求項５】
前記開封用リングが前記外筒の外周面に破断可能なブリッジと破断不能な連結部によって繋がっている請求項１乃至４のいずれかに記載の易開封型打栓式キャップ。
【請求項６】
天面および該天面の周縁から垂下するスカート壁からなり、該スカート壁の内周面に容器係合用突起を設けて、容器口部に前記スカート壁および前記天面の一部を前記容器口部に密着させてなるキャップ本体と、前記スカート壁の外周面に接続され、上方に延びる薄肉筒と、前記薄肉筒の上端から更に上方に延びる外筒と、前記外筒の外周面に繋がっている開封用リングと、が形成されている中間体を一体成形した後、まず、キャップ打栓機のヘッド部によって前記中間体の前記天面を押し下げて前記容器口部に前記キャップ本体を嵌合させ、次いで、前記キャップ打栓機のヘッド部の外周を摺動するリング状ヘッドによって前記外筒を押し下げることによって、前記薄肉筒を折り曲げて前記薄肉筒を介在させた状態で前記キャップ本体の前記スカート壁の外側に前記薄肉部および前記外筒を後から嵌合させることで、前記外筒および前記薄肉筒で前記キャップ本体を外側からカシメ状態にして前記容器口部とキャップ本体とを液密に保持するようにしたことを特徴とする易開封型打栓式キャップの打栓方法。
【発明の詳細な説明】
【技術分野】
【０００１】
本発明は、打栓式キャップでありながら、素手などでも容易に開封することの出来る易開封型打栓式キャップに関するものであり、より詳しくは、天面およびスカート壁からなり、該スカート壁の内周面が容器の口部に密着させるキャップ本体と、スカート壁の外側に位置する薄肉筒と、薄肉筒の外側に位置する外筒と、外筒の外周面に繋がっている開封用リングとが一体成形されてなり、キャップ本体を外側からカシメ状態にして容器口部とキャップ本体とを液密に保持するようにした易開封型打栓式キャップおよびその打栓方法に関する。
【背景技術】
【０００２】
打栓式キャップは、キャップ打栓機により打栓すれば、容器の口部に容易に液密に嵌めることが出来るから、広く普及している。しかしながら、打栓式キャップと容器口部との液密度を高めるため、双方とも打栓前と打栓後の嵌合部形状が近くなって、いきおい打栓力が強くならざるを得ず、逆に、開封時に強い力でないと開けることが出来ないことになる。加えて、それらの力に耐えるだけの強度が、打栓式キャップおよび容器口部に求められることになる。
【０００３】
このような観点から、開封を容易にした打栓式キャップが指向されるようになり、このような打栓式キャップとしては、天面およびスカート部からなって、そのスカート部の内周面に容器と係合する突起を設けたキャップ本体と、このキャップ本体のスカート部外面を覆うように設けたリング状側壁とからなり、このキャップ本体のスカート部には軸方向に延びる複数のスリットが設けられ、キャップ本体と、リング状側壁とは連結部および複数の破断可能な橋絡部を介して一体成形され、連結部および橋絡部を除くスカート部外面とリング状側壁内面とは完全に分離しているが、密着しているものが知られている（例えば、特許文献１参照）。
【０００４】
また、密封部材は、容器の開口に取り付けられた封止部と、それぞれ封止部の下側縁から延びるヒンジに結合し、内側に突起し、容器に形成された係止縁に固定される、複数の係止突起と、リング状で，封止部に対して垂直に動くように封止部の外側に取り付けられるカバー部と、このカバー部の内側円周面から突き出て係止突起を支持する複数の固定突起と、を有するものであり、この密封部材は、封止部とカバー部との相対的な垂直の動きによりワンタッチで開閉でき、確実な気密性も確保するものである（例えば、特許文献２参照）。
【先行技術文献】
【特許文献】
【０００５】
【特許文献１】特許第３４９２００７号公報
【特許文献２】特表２０１２−５３０６５４号公報
【発明の概要】
【発明が解決しようとする課題】
【０００６】
特許文献１のキャップは、容器の口部からリング状側壁を引き上げると、スカート部からリング状側壁が外れることになりスカート部への拘束力が弱まって、その後リング状側壁を引っ張ると、容器口部からキャップを取り外せて都合が良いものである。しかしながら、構造上リング状側壁によるスカート部への拘束力により、この特許文献１のキャップは容器口部に液密を保持することになる一方、逆に容器口部の打栓力が強くならざるを得ず、開封時に強い力でないと開けることが出来ないことになる。また、キャップ本体スカート部外面とリング状側壁内面は、成形の当初は完全に一体的に成形後に、橋絡部及び連結部となるべき部分を除いて、キャップ本体スカート部外面及びリング状側壁内面を形成するように、スカート部とリング状側壁の間をカッター等で切断する製造方法の為、成形後のカッター切断工程が必要な点、カッター破損に注意が必要な点、などの二次加工によるコスト高の要因となる虞がある。
【０００７】
特許文献２の密封部材は、封止部分とカバー部分の相対的な上下方向への動きによってワンタッチで密閉部材の開閉が可能で、それにより簡便な操作と良好な気密性を確実にするものであるが、容器口部の打栓力が強くならざるを得ず、開封時に上下方向に引き上げる強い力が必要となる。
注ぎ口たる容器の開閉はできるものの、注ぎ口たる容器を本来の容器から外すことは困難であり、密封部材および注ぎ口たる容器の分別廃棄が事実上出来ない。
【０００８】
そこで、本発明の目的は、比較的弱い力でも容器の口部に打栓でき、開封時あるいは廃棄時に、容器の口部から容易に取り外すことが出来る易開封型打栓式キャップおよびその打栓方法を提供することにある。
【課題を解決するための手段】
【０００９】
本発明は、上記目的を達成するために提案されたものであって、下記の構成からなることを特徴とするものである。
すなわち、本発明によれば、天面および該天面の周縁から垂下するスカート壁からなり
、該スカート壁の内周面に容器係合用突起を設けて、容器口部に前記スカート壁および前記天面の一部を前記容器口部に密着させてなるキャップ本体と、前記スカート壁の外側に位置する薄肉筒と、前記薄肉筒の外側に位置する外筒と、前記外筒の外周面に繋がっている開封用リングと、が一体成形される易開封型打栓式キャップにおいて、前記薄肉筒は、前記外筒の下端部と前記スカート壁の外周面との間に接続されると共に、前記外筒の内周面と前記スカート壁の外周面との間に介在して、前記外筒と相俟って前記スカート壁の外周面を外側から押圧し、前記キャップ本体を外側からカシメ状態にして前記容器口部と前記キャップ本体とを液密に保持する、ことを特徴とする易開封型打栓式キャップが提供される。
【００１０】
また、本発明によれば、前記薄肉筒にスリットを設けた易開封型打栓式キャップが提供される。
【００１１】
また、本発明によれば、前記キャップ本体のスカート壁の下端部が軸方向スリットにより複数に分割される易導入壁に形成されてなる易開封型打栓式キャップが提供される。
【００１２】
また、本発明によれば、前記易導入壁が外方に末広がりで形成されてなる易開封型打栓式キャップが提供される。
【００１３】
また、本発明によれば、前記開封用リングが前記外筒の外周面に破断可能なブリッジと破断不能な連結部によって繋がっている易開封型打栓式キャップが提供される。
【００１４】
また、本発明によれば、天面および該天面の周縁から垂下するスカート壁からなり、該スカート壁の内周面に容器係合用突起を設けて、容器口部に前記スカート壁および前記天面の一部を前記容器口部に密着させてなるキャップ本体と、前記スカート壁の外周面に接続され、上方に延びる薄肉筒と、前記薄肉筒の上端から更に上方に延びる外筒と、前記外筒の外周面に繋がっている開封用リングと、が形成されている中間体を一体成形した後、まず、キャップ打栓機のヘッド部によって前記中間体の前記天面を押し下げて前記容器口部に前記キャップ本体を嵌合させ、次いで、前記キャップ打栓機のヘッド部の外周を摺動するリング状ヘッドによって前記外筒を押し下げることによって、前記薄肉筒を折り曲げて前記薄肉筒を介在させた状態で前記キャップ本体の前記スカート壁の外側に前記薄肉部および前記外筒を後から嵌合させることで、前記外筒および前記薄肉筒で前記キャップ本体を外側からカシメ状態にして、前記容器口部とキャップ本体とを液密に保持するようにしたことを特徴とする易開封型打栓式キャップの打栓方法が提供される。
【００１５】
上記請求項１の課題解決手段による作用は、容器口部に打栓され閉栓した状態で、外筒とキャップ本体との間に介在する薄肉筒および外筒により、キャップ本体のスカート壁を外側から押圧し、スカート壁をカシメ状態にして、スカート壁内周面の容器係合用突起と容器口部とを密着させ、キャップ本体と容器口部とを液密に保持する。一方、開封用リングに開栓方向の力を加えると、薄肉筒が外筒とスカート壁との間から離脱し始め、上記カシメ状態の解消に向かい、容器係合用突起と容器口部との密着が弱まり、さらに開封用リングに開栓方向の力を加えれば、遂にはキャップ本体が容器口部から外れる。
【００１６】
上記請求項２の課題解決手段による作用は、スリットがある分、薄肉筒が変形し易くなり、薄肉筒を折り曲げ反転させる力を低減させることが出来る。
【００１７】
上記請求項３の課題解決手段による作用は、スカート壁下端が軸方向スリットにより分割されているため、易導入壁を容器口部に当てがいキャップ本体を押圧すれば、軸方向スリットにより複数に分割された易導入壁が外側に開き易くなる。
【００１８】
上記請求項４の課題解決手段による作用は、易導入壁が外方に末広がりである分、キャップ本体内に容器口部がより導入され易くなると共に、開封時あるいは廃棄時においては、スカート壁のカシメ状態が解除された後、再び易導入壁が末広がりに開き易くなるため、容器の口部から容易に取り外すことが出来る。
【００１９】
上記請求項５の課題解決手段による作用は、開封用リングに開栓方向の力を加えると、破断可能なブリッジが破断して、薄肉筒が外筒とスカート壁との間から離脱し始め、上記カシメ状態の解消に向かい、容器係合用突起と容器口部との密着が弱まり、さらに開封用リングに開栓方向の力を加えれば、破断不能な連結部によって遂にはキャップ本体が容器口部から外れる。
【００２０】
上記請求項６の課題解決手段による作用は、キャップ打栓機のヘッド部でキャップ本体の天面を押し下げて、容器口部にキャップ本体を嵌合させ、次いで、キャップ打栓機のリング状ヘッドによって外筒を押し下げることによって、薄肉筒を折り曲げ薄肉筒を介在させた状態で、スカート壁の外側に薄肉部および外筒を後から嵌合させ、外筒および薄肉筒でキャップ本体を外側からカシメ状態にして、容器口部とキャップ本体とを液密に保持する。
【発明の効果】
【００２１】
本発明の易開封型打栓式キャップは、比較的弱い力でも容器口部に打栓でき、開封時あるいは廃棄時に、容器の口部から容易に取り外すことが出来る効果がある。
【００２２】
また、本発明の易開封型打栓式キャップは、上記の効果に加えて、容器口部へのスムーズな打栓及び開封に必要な力をさらに低減するという効果がある。
【００２３】
また、本発明の易開封型打栓式キャップは、上記の効果に加えて、容器口部に打栓する
際、初期抵抗をより少なくでき、その分打栓が容易となる効果がある。
【００２４】
また、本発明の易開封型打栓式キャップは、上記の効果に加えて、容器口部に打栓する際、初期抵抗をさらに少なくでき、開封あるいは廃棄時においては、容器の口部から容易に取り外すことが出来る。
【００２５】
また、本発明の易開封型打栓式キャップは、上記の効果に加えて、開封用リングにて容易に開封でき、しかも開封するとブリッジを破断するため、不正開封等のいたずらなどによる影響を事前に防止出来る効果がある。
【００２６】
さらに、本発明の易開封型打栓式キャップの打栓方法によれば、キャップ打栓機のヘッド部およびリング状ヘッドによって、外筒と薄肉筒が時間差を設けて順番に押し下げられることにより、キャップ本体のスカート壁を外側から押圧し、スカート壁をカシメ状態にするので、容器口部に易開封型打栓式キャップを極めて容易に打栓できる効果がある。
【図面の簡単な説明】
【００２７】
【図１】実施例１に示した本発明の実施の形態を示す易開封型打栓式キャップを１／４切り欠いた斜視図である。
【図２】同じく本発明の易開封型打栓式キャップの縦断面図である。
【図３】図２の易開封型打栓式キャップを打栓前に予めカシメ状態にした縦断面図である。
【図４】同じく本発明の易開封型打栓式キャップを容器口部に打栓した状態の縦断面図である。
【図５】本発明の実施の形態を示す変形例の易開封型打栓式キャップ１Ａを１／４切り欠いた斜視図である。
【図６】実施例１に示した本発明の易開封型打栓式キャップを容器口部に打栓する状態の縦断面図である。
【図７】同じく易開封型打栓式キャップ１を容器口部に打栓する状態の縦断面図である。
【図８】同じく易開封型打栓式キャップ１を容器口部に打栓する状態の縦断面図である。
【図９】同じく易開封型打栓式キャップ１を容器口部に打栓する状態の縦断面図である
【図１０】同じく易開封型打栓式キャップ１を容器口部から開封する状態の縦断面図である。
【図１１】同じく易開封型打栓式キャップ１を容器口部から開封する状態の縦断面図である。
【図１２】同じく易開封型打栓式キャップ１を容器口部から開封する状態の縦断面図である。
【図１３】同じく易開封型打栓式キャップ１を容器口部から開封する状態の縦断面図である。
【図１４】同じく易開封型打栓式キャップ１を容器口部から開封する状態の縦断面図である。
【図１５】同じく易開封型打栓式キャップ１を容器口部から開封する状態の縦断面図である。
【図１６】実施例２に示した本発明の易開封型打栓式キャップ１Ａを容器口部に打栓する状態の縦断面図である（実施例１の図６に相当）。
【図１７】同じく易開封型打栓式キャップ１Ａを容器口部に打栓する状態の縦断面図である（実施例１の図７に相当）。
【図１８】同じく易開封型打栓式キャップ１Ａを容器口部に打栓する状態の縦断面図である（実施例１の図８に相当）。
【図１９】同じく易開封型打栓式キャップ１Ａを容器口部に打栓する状態の縦断面図である（実施例１の図９に相当）。
【図２０】同じく易開封型打栓式キャップ１Ａを容器口部から開封する状態の縦断面図である（実施例１の図１０に相当）。
【図２１】同じく易開封型打栓式キャップ１Ａを容器口部から開封する状態の縦断面図である（実施例１の図１１に相当）。
【図２２】同じく易開封型打栓式キャップ１Ａを容器口部から開封する状態の縦断面図である（実施例１の図１２に相当）。
【図２３】同じく易開封型打栓式キャップ１Ａを容器口部から開封する状態の縦断面図である（実施例１の図１３に相当）。
【図２４】同じく易開封型打栓式キャップ１Ａを容器口部から開封する状態の縦断面図である（実施例１の図１４に相当）。
【図２５】同じく易開封型打栓式キャップ１Ａを容器口部から開封する状態の縦断面図である（実施例１の図１５に相当）。
【発明を実施するための形態】
【００２８】
以下に、図面を参照して本発明を実施するための形態を説明する。
【実施例１】
【００２９】
図１ないし図４において、１は易開封型打栓式キャップであり、この易開封型打栓式キャップ１は、天面２およびこの天面２の周縁から垂下するスカート壁３からなり、このスカート壁３の内周面に容器係合用突起４を設けて、容器５の口部６にスカート壁３および天面２の一部を容器口部６に密着させてなるキャップ本体７と、スカート壁３の外側に位置する薄肉筒８と、この薄肉筒８の外側に位置する外筒９と、この外筒９の外周面９ｃに繋がっている開封用リング１０と、が一体成形されていて、薄肉筒８は、外筒９の下端部９ａとスカート壁３の外周面３ａとの間に接続されると共に、外筒９の内周面９ｂとスカート壁３の外周面３ａとの間に介在して、外筒９と相俟ってスカート壁３の外周面３ａを外側から押圧し、キャップ本体７を外側からカシメ状態にして容器口部６とキャップ本体７とを液密に保持するものである。
【００３０】
前記易開封型打栓式キャップ１を冠する容器５は、その口部６に、キャップ本体７を打栓により、装着できるものであれば特に限定がなく、ＰＥＴボトルやガラス瓶に代表されるいわゆる一般的な包装容器であれば、どのようなタイプ、どのような材質でも良いが、この実施例１での容器５は瓶タイプである。そして、この易開封型打栓式キャップ１は、キャップ本体７のスカート壁３の下端部を容器５の口部６に当てがい、打栓して液密にして、容器５の口部６に冠することになる。そして、この易開封型打栓式キャップ１は、主にキャップ開封後、内容物を飲みきるタイプの飲料などを収容した容器５に使用することを想定しているが、それだけに限定的しているわけではなく、例えば内容物を一度に飲みきることなく、再びキャップにより容器をリシールする利用も可能である。
【００３１】
前記キャップ本体７は、天面２およびスカート壁３からなり、スカート壁３の内周面下部に設けられた容器係合用突起４と、容器口部６の外周面に設けられたキャップ係合部６ａとにより、打栓した後、容器口部６にスカート壁３および天面２の一部を密着させ且つ離脱しないようにしている。また、上記した容器係合用突起４は、９０度毎に切欠４ａが都合４つ設けられ、切欠４ａのある部分のスカート壁３が変形し易いから、容器口部６にキャップ本体７、すなわち、易開封型打栓式キャップ１を打栓し易く、かつ開封し易くしている。この切欠４ａは必須ではなく、その大きさ、その個数については、設計仕様に応じて適宜設けてやればよい。
【００３２】
前記薄肉筒８は、既述のとおり、外筒９の下端部９ａとスカート壁３の外周面３ａとの間に接続され、打栓した後、図３に示すように、外筒９の内周面９ｂとスカート壁３の外周面３ａとの間に介在して、図４に示すように、外筒９と相俟ってスカート壁３の外周面３ａを外側から押圧し、キャップ本体７を外側からカシメ状態にして、容器口部６とキャップ本体７とを液密に保持するものである。したがって、薄肉筒８は、打栓時に破損することなく容易に折れ曲がり反転して、外筒９の内周面９ｂとスカート壁３の外周面３ａとの間に介在する必要があり、そのような変形に耐え得る材質、薄肉筒の厚みを、易開封型打栓式キャップ１全体として選定する必要がある。なお、薄肉筒８は、スカート壁３の外周面３ａの中間高さ、すなわち、スカート壁３の内周面に設けた容器係合用突起４よりも高い位置で、接続するのが望ましい。このような構成にすることにより、スカート壁３下部の容器係合用突起４が形成されている位置に対応する外周面３ａを薄肉筒８と外筒９とにより安定して外側から保持することが可能となり、結果、打栓後のカシメ状態を良好にするからである。また、薄肉筒８のスカート壁３側接続部位は、弧状接続部８ａに形成してあるのが望ましく、その理由は打栓時曲がりやすく打栓し易くなるからである。さらに、薄肉筒８の外筒９側接続部位は、外筒９の下端部９ａの内端側であるのが望ましく、その理由は上記同様に打栓時曲がり易くなり打栓し易いからである。
【００３３】
前記外筒９は、既述のとおり、薄肉筒８の外側に位置し、その薄肉筒８と相俟ってキャップ本体７を外側からカシメ状態にする際、その主体として働くものである。また、この外筒９の外方には開封用リング１０があり、この開封用リング１０は外筒９の外周面９ｃに破断不能な１個の連結部１１によって繋がっている。また、連結部１１の他に補助的な破断可能な１個以上のブリッジ１２ａ、１２ｂを設けてもよい。更に連結部１１の反対側に位置する外周面９ｃには、連結部１１やブリッジ１２ａ、１２ｂなどの繋がり部分が無い部分を設けることで、消費者が開封しようとする際、指を掛け易くする事が可能となる。高さ方向における連結部１１の接続位置は、外筒９の外周面９ｃであれば上方、下方、中間のいずれの位置でも構わない。
【００３４】
したがって、開封工程ではまず初めに外筒９との繋がり部分のない開封用リング１０を手指でつかみ、開封方向の力を加えると、ブリッジ１２ａ、１２ｂが破断し、さらに、開封方向に力を加えれば、薄肉筒８が外筒９とスカート壁３との間から離脱し始め、上記カシメ状態の解消に向かい、容器係合用突起４と容器口部６との密着が弱まり、遂には、破断不能な連結部１１によって、キャップ本体７が容器口部６から外れることになる。
【実施例２】
【００３５】
図５は、図１ないし図４に示す易開封型打栓式キャップ１の変形例１Ａを示すものであり、この変形例の易開封型打栓式キャップ１Ａと、易開封型打栓式キャップ１との相違点は、キャップ本体７のスカート壁３の下端部が軸方向スリット２０により複数に分割された易導入壁２１に形成され、その内面には容器係合用突起４が形成されている点、さらに、その易導入壁２１が外方に末広がりに形成された点、加えて、薄肉筒８に複数の縦スリット８ｂを設けている点にある。その他の構成は、易開封型打栓式キャップ１と同様なので、図５に符号を付すと共に、図１６ないし図２５に、易開封型打栓式キャップ１Ａの打栓状態と、易開封型打栓式キャップ１Ａを容器口部から開封する状態の縦断面図を示してその詳細な説明を省略する。
【００３６】
次に、上記構成になる易開封型打栓式キャップ１および１Ａの利用方法、なかんずく、その打栓方法について説明する。
まず、容器５の口部６に合う形の図１あるいは図５に示す中間体である、易開封型打栓式キャップ１あるいは１Ａを選択する。次に、容器５内に内容液を充填したあと、容器口部６に、中間体の易開封型打栓式キャップ１あるいは１Ａ（以下、「易開封型打栓式キャップ１」について説明し、必要に応じて易開封型打栓式キャップ１Ａにも言及することにする。）をあてがい（図６参照）、まず、キャップ打栓機のヘッド部Ｂによって、中間体である、易開封型打栓式キャップ１のキャップ本体７の天面２を押し下げて、容器口部６にキャップ本体７を嵌合させる（図７参照）。易開封型打栓式キャップ１Ａの場合は、キャップ本体７のスカート壁３の下端部が、軸方向スリット２０により複数に分割された易導入壁２１があるから、容器口部６に容易に嵌合でき、さらに、その易導入壁２１が外方に末広がりに形成されているから、さらに容易に嵌合できる。
【００３７】
次いで、キャップ打栓機のヘッド部の外周を摺動するリング状ヘッド部により外筒９の上端を押し下げることによって、薄肉筒８を折り曲げて徐々に反転させていき（図８参照）、まず薄肉筒８をスカート壁３の外方位置まで押し下げ、次いで外筒９を薄肉筒８の外方位置に押し下げることで、薄肉筒８を介在させた状態でキャップ本体７のスカート壁３の外側に薄肉筒８および外筒９を段階的に嵌合させることで、比較的小さな打栓力でも外筒９および薄肉筒８でキャップ本体７を外側からカシメ状態にして（図９参照）、容器口部６とキャップ本体７とを液密に保持することが可能となるのである。その後、必要に応じて易開封型打栓式キャップ１を装着した容器５を包装して最終製品とする。なお、図１に示す中間体である易開封型打栓式キャップ１を、予めキャップ打栓機のリング状ヘッドにより外筒９を押し下げ、図３あるいは図９の状態にしたものを、容器口部６に打栓することも可能である。
【００３８】
易開封型打栓式キャップ１Ａの場合は、薄肉筒８が複数の縦スリット８ｂにより分割され複数の帯状部８ｃとなっているため、易開封型打栓式キャップ１よりもさらに薄肉筒の折り曲げ反転が容易となる。そして、帯状部８ｃはスカート壁３の易導入壁２１の複数の軸方向スリット２０形成位置に対応するよう周方向に配置されているので、外筒９および薄肉筒８を介して易導入壁２１を外側からカシメ状態にして、容器口部６とキャップ本体７とを液密に保持することが可能となる。帯状部８ｃ間の間隙（縦スリット８ｂ）と、易導入壁２１の下端に設けられた軸方向スリット２０の形成位置は、互いにずらして形成されていることが好ましい。
【００３９】
最終製品の消費に際し、包装があればそれを取り除き、少なくとも易開封型打栓式キャップ１の部分を裸出し、容器口部６から易開封型打栓式キャップ１を開ける得る状態にする。そして、開封用リング１０を手指でつかみ、開封方向の力を加えブリッジ１２ａ、１２ｂを破断し（図１０、１１参照）、さらに、開封方向に力を加えて、薄肉筒８を外筒９とスカート壁３との間から離脱させ、上記カシメ状態を解消させて（図１２、１３参照）、容器係合用突起４と容器口部６との密着を弱め（図１４参照）、破断不能な連結部１１により容器口部６から易開封型打栓式キャップ１を外して（図１５参照）、容器５の内容液を利用する。
【００４０】
なお、容器５に内容液が残った場合、易開封型打栓式キャップ１は、図１５の状態になっているから、それを図１４のように容器口部６に被せ、図１３、図１２、図１１、図１０へと順次閉栓方向に戻せば、図９に示すように、容器口部６に易開封型打栓式キャップ１を被せ得て、閉栓が可能となる。以後、容器５の内容液を使い切るまで、上記と同じ動作を繰り返すことになる。また、この場合、再閉栓した易開封型打栓式キャップ１は、未開栓の場合と見分けづらいが、外筒９の外周面９ｃと開封用リング１０とを繋げている１以上のブリッジ１２ａ、１２ｂが破断しているので、不正開封かどうかを見分けることができて、いたずら防止となる。
【００４１】
以上、本発明の実施例１及び２を説明したが、具体的な構成はこれに限定されず、本発明の要旨を逸脱しない範囲での変更は、適宜可能であることが理解されるべきである。
【産業上の利用可能性】
【００４２】
本発明の易開封型打栓式キャップは、比較的弱い力でも容器の口部に打栓でき、開封時あるいは廃棄時に、容器の口部から容易に取り外したいような場合に、その利用可能性が極めて高くなる。
【符号の説明】
【００４３】
１、１Ａ                  易開封型打栓式キャップ
２                        天面
３                        スカート壁
３ａ                      外周面
４                        容器係合用突起
４ａ                      切欠
５                        容器
６                        口部
６ａ                      キャップ係合部
７                        キャップ本体
８                        薄肉筒
８ａ                      弧状接続部
８ｂ                      スリット
８ｃ                      帯状部
９                        外筒
９ａ                      下端部
９ｂ                      内周面
９ｃ                      外周面
１０                      開封用リング
１１                      連結部
１２ａ、１２ｂ            ブリッジ
２０                      軸方向スリット
２１                      易導入壁
Ｂ                        打栓機のヘッド部
【図１】
2015127231.tif 000003
【図２】
2015127231.tif 000004
【図３】
2015127231.tif 000005
【図４】
2015127231.tif 000006
【図５】
2015127231.tif 000007
【図６】
2015127231.tif 000008
【図７】
2015127231.tif 000009
【図８】
2015127231.tif 000010
【図９】
2015127231.tif 000011
【図１０】
2015127231.tif 000012
【図１１】
2015127231.tif 000013
【図１２】
2015127231.tif 000014
【図１３】
2015127231.tif 000015
【図１４】
2015127231.tif 000016
【図１５】
2015127231.tif 000017
【図１６】
2015127231.tif 000018
【図１７】
2015127231.tif 000019
【図１８】
2015127231.tif 000020
【図１９】
2015127231.tif 000021
【図２０】
2015127231.tif 000022
【図２１】
2015127231.tif 000023
【図２２】
2015127231.tif 000024
【図２３】
2015127231.tif 000025
【図２４】
2015127231.tif 000026
【図２５】
2015127231.tif 000027
【手続補正書】
【提出日】平成26年2月26日(2014.2.26)
【手続補正１】
【補正対象書類名】明細書
【補正対象項目名】００３６
【補正方法】変更
【補正の内容】
【００３６】
次に、上記構成になる易開封型打栓式キャップ１および１Ａの利用方法、なかんずく、その打栓方法について説明する。
まず、容器５の口部６に合う形の図１あるいは図５に示す中間体である、易開封型打栓式キャップ１あるいは１Ａを選択する。次に、容器５内に内容液を充填したあと、容器口部６に、中間体の易開封型打栓式キャップ１あるいは１Ａ（以下、「易開封型打栓式キャップ１」について説明し、必要に応じて易開封型打栓式キャップ１Ａにも言及することにする。）をあてがい（図６参照）、まず、キャップ打栓機のヘッド部のセンターヘッド部Ａによって、中間体である、易開封型打栓式キャップ１のキャップ本体７の天面２を押し下げて、容器口部６にキャップ本体７を嵌合させる（図７参照）。易開封型打栓式キャップ１Ａの場合は、キャップ本体７のスカート壁３の下端部が、軸方向スリット２０により複数に分割された易導入壁２１があるから、容器口部６に容易に嵌合でき、さらに、その易導入壁２１が外方に末広がりに形成されているから、さらに容易に嵌合できる。
【手続補正２】
【補正対象書類名】明細書
【補正対象項目名】００３７
【補正方法】変更
【補正の内容】
【００３７】
次いで、キャップ打栓機のヘッド部の外周を摺動するリング状ヘッド部Ｂにより外筒９の上端を押し下げることによって、薄肉筒８を折り曲げて徐々に反転させていき（図８参照）、まず薄肉筒８をスカート壁３の外方位置まで押し下げ、次いで外筒９を薄肉筒８の外方位置に押し下げることで、薄肉筒８を介在させた状態でキャップ本体７のスカート壁３の外側に薄肉筒８および外筒９を段階的に嵌合させることで、比較的小さな打栓力でも外筒９および薄肉筒８でキャップ本体７を外側からカシメ状態にして（図９参照）、容器口部６とキャップ本体７とを液密に保持することが可能となるのである。その後、必要に応じて易開封型打栓式キャップ１を装着した容器５を包装して最終製品とする。なお、図１に示す中間体である易開封型打栓式キャップ１を、予めキャップ打栓機のリング状ヘッドにより外筒９を押し下げ、図３あるいは図９の状態にしたものを、容器口部６に打栓することも可能である。
【手続補正３】
【補正対象書類名】明細書
【補正対象項目名】００４３
【補正方法】変更
【補正の内容】
【００４３】
１、１Ａ                  易開封型打栓式キャップ
２                        天面
３                        スカート壁
３ａ                      外周面
４                        容器係合用突起
４ａ                      切欠
５                        容器
６                        口部
６ａ                      キャップ係合部
７                        キャップ本体
８                        薄肉筒
８ａ                      弧状接続部
８ｂ                      スリット
８ｃ                      帯状部
９                        外筒
９ａ                      下端部
９ｂ                      内周面
９ｃ                      外周面
１０                      開封用リング
１１                      連結部
１２ａ、１２ｂ            ブリッジ
２０                      軸方向スリット
２１                      易導入壁
Ａ 打栓機のセンターヘッド部
Ｂ                        打栓機のリング状ヘッド部
【手続補正４】
【補正対象書類名】図面
【補正対象項目名】図６
【補正方法】変更
【補正の内容】
【図６】
2015127231.tif 000028
【手続補正５】
【補正対象書類名】図面
【補正対象項目名】図７
【補正方法】変更
【補正の内容】
【図７】
2015127231.tif 000029
【手続補正６】
【補正対象書類名】図面
【補正対象項目名】図８
【補正方法】変更
【補正の内容】
【図８】
2015127231.tif 000030
【手続補正７】
【補正対象書類名】図面
【補正対象項目名】図９
【補正方法】変更
【補正の内容】
【図９】
2015127231.tif 000031
【手続補正８】
【補正対象書類名】図面
【補正対象項目名】図１６
【補正方法】変更
【補正の内容】
【図１６】
2015127231.tif 000032
【手続補正９】
【補正対象書類名】図面
【補正対象項目名】図１７
【補正方法】変更
【補正の内容】
【図１７】
2015127231.tif 000033
【手続補正１０】
【補正対象書類名】図面
【補正対象項目名】図１８
【補正方法】変更
【補正の内容】
【図１８】
2015127231.tif 000034
【手続補正１１】
【補正対象書類名】図面
【補正対象項目名】図１９
【補正方法】変更
【補正の内容】
【図１９】
2015127231.tif 000035